(57)【特許請求の範囲】
【請求項１】
アンテナで受信したＦＭ信号を、ＩＦフィルタを介して得たＩＦ信号をＩＦ増幅回路で増幅後に第1のデジタルフィルタを通して検波し、音声出力信号を得るＦＭ受信機において、前記ＩＦ増幅回路の後段に配置され、前記ＩＦフィルタの中間周波数より低周波数に変換するミキサと、該ミキサの出力信号をデジタル変換する第１のＡ／Ｄ変換器と、該第１のＡ／Ｄ変換器の出力から隣接の中心周波数毎にスペクトラムのレベルを検出するＤＳＰ（デジタル信号プロセッサ）とを備え、前記第1のデジタルフィルタが、前記ＤＳＰの指示により希望局の信号に対して適応した係数に選択されることを特徴とするＦＭ受信機。
【請求項２】
前記第1のＡ／Ｄ変換器および前記第1のデジタルフィルタの間に、前記ＤＳＰの処理時間遅延を補償する遅延回路を設けることを特徴とする請求項１に記載のＦＭ受信機。
【請求項３】
前記ミキサは、１０．７ＭＨｚを４５０ｋＨｚに周波数変換することを特徴とする請求項１又は２に記載のＦＭ受信機。
【請求項４】
前記第1のＡ／Ｄ変換器および前記ＤＳＰの間に８０ｋＨｚ〜２５０ｋＨｚのスペクトラムを抽出する第２のデジタルフィルタを設けることを特徴とする請求項３に記載のＦＭ受信機。
【請求項５】
前記ＩＦ増幅回路の出力信号中の１９ｋＨｚ成分を検出する検波器および該検波器の出力信号をデジタル変換してマルチパス（Multipath）か隣接か判断し、前記ＤＳＰを制御する第２のＡ／Ｄ変換器を備えることを特徴とする請求項１乃至４の何れかに記載のＦＭ受信機。
【発明の詳細な説明】
【０００１】
【発明の属する技術分野】
本発明はＦＭ受信機に関し、例えばＦＭ変調された放送信号を受信するＦＭ受信機に使用されるＩＦフィルタに関する。
【０００２】
【従来の技術】
ＦＭ（周波数変調）方式は、一定周波数の搬送波信号の周波数を信号に応じて変調して送受信するものである。このＦＭ変調方式は、ＡＭ（振幅変調）方式に比較して、雑音が少なく且つ変調度に無関係に送信電力が一定である等の、種々の利点を有するので、音楽放送等に広く使用されている。
【０００３】
斯かる技術分野における従来技術は、例えば特開平７−３３６２４６号公報の「ＦＭ混信検知方法および装置」、特開平８−５６１６８号公報の「ＦＭ受信機」、特開平４−２６５０２１号公報の「ＦＭ受信機」および特開平６−２６０９５１号公報の「ＦＭ受信機」等に開示されている。
【０００４】
図２は、従来の典型的なＦＭ受信機の構成を示すブロック図である。アンテナＡ、フロントエンド（ＲＦ増幅および周波数変換回路）１、初段のＩＦ（中間周波数）フィルタ２、ＩＦ増幅回路３、フィルタ４、６、これらフィルタ４、６の切替スイッチ１１、リミッタ増幅回路（ＡＭＰ）５、検波回路７、バンドパスフィルタ（ＢＰＦ）１０、検波器９および比較器８により構成される。そして、切替スイッチ１１は、比較器８の出力により切替えられ、帯域幅の異なるフィルタ４又は６を選択するよう構成されている。
【０００５】
図２に示す帯域切替回路を有する従来のＦＭ受信機において、信号は、アンテナＡに接続されたフロントエンド１を経由して、例えば１０．７ＭＨｚのＩＦ周波数に変換され、ＩＦフィルタ２に入力される。この初段のＩＦフィルタ２を通過したＩＦ信号は、ＩＦ増幅回路３にて所定利得で増幅される。その後、広い帯域を有するＩＦフィルタ６を通過して、リミッタ増幅回路５に入力される。このリミッタ増幅回路５から出力されるＩＦ信号は検波回路７により検波され、音声信号を得る。
【０００６】
ここで、受信を希望する放送局（希望局）に隣接して別の放送局（隣接局）がある場合について説明する。この場合には、隣接局までの周波数差により希望局の受信時に受ける妨害状態が異なる。そのため、通常図４（Ａ）〜（Ｃ）に示す如き特性を有するバンドパスフィルタ１０を使用して、隣接信号のレベルを検出する。バンドパスフィルタ１０および検波器９により信号レベルを取り出す。この信号レベルが比較器８により設定された閾値以上であれば、スイッチ１１を切替え、狭い帯域を有するフィルタ４を選択する。一方、比較器８の閾値より小さい場合には、スイッチ１１は、広い帯域のフィルタ６を選択する。
【０００７】
【発明が解決しようとする課題】
ヨーロッパ諸国等では、ＦＭ放送の置局が５０ｋＨｚであるから、地域によっては混信による受信障害が生じ得る。この受信障害地域で良好な受信を行うために、図２を参照して上述した如く帯域幅の狭いフィルタ４と帯域幅の広いフィルタ６とをスイッチ１１により切替えている。このとき、受信したＦＭ信号を検波回路７で検波すると、音声（オーディオ）信号と高い周波数領域に隣接のとき、図３に示す如きスペクトラム成分が現れる。このスペクトラムをバンドパスフィルタ１０で検出し、この検出出力が閾値以上か未満かによりフィルタ４又は６に切替えているが、隣接局が１００ｋＨｚか１５０ｋＨｚなのか判断できない。
【０００８】
そのために、図４（Ａ）〜（Ｃ）に示す如き特性を有するバンドパスフィルタにより、１５０ｋＨｚを基準として１００ｋＨｚおよび２００ｋＨｚでは狭いバンドパスフィルタに頻繁に切替えられないようにする。これにより、必要以上に切り替わることによる音質の変化や音の変動等の誤動作を抑えている。しかし、従来のアナログフィルタでは細かい設定ができないために、誤動作が排除しきれず、地域によっては十分に機能しない場合があった。
【０００９】
【発明の目的】
そこで、本発明の目的は、従来技術の上述した課題に鑑みなされたものであり、隣接局による誤動作を一層確実に排除可能なＦＭ受信機を提供することにある。
【００１０】
【課題を解決するための手段】
前述の課題を解決するため、本発明によるＦＭ受信機は、次のような特徴的な構成を採用している。
【００１１】
（１）アンテナで受信したＦＭ信号を、ＩＦフィルタを介して得たＩＦ信号をＩＦ増幅回路で増幅後に第1のデジタルフィルタを通して検波し、音声出力信号を得るＦＭ受信機において、前記ＩＦ増幅回路の後段に配置され、前記ＩＦフィルタの中間周波数より低周波数に変換するミキサと、該ミキサの出力信号をデジタル変換する第１のＡ／Ｄ変換器と、該第１のＡ／Ｄ変換器の出力から隣接の中心周波数毎にスペクトラムのレベルを検出するＤＳＰ（デジタル信号プロセッサとを備え、前記第1のデジタルフィルタが、前記ＤＳＰの指示により希望局の信号に対して適応した係数に選択されるＦＭ受信機。
【００１２】
（２）前記第1のＡ／Ｄ変換器および前記第1のデジタルフィルタの間に、前記ＤＳＰの処理時間遅延を補償する遅延回路を設ける上記（１）のＦＭ受信機。
【００１３】
（３）前記ミキサは、１０．７ＭＨｚを４５０ｋＨｚに周波数変換する上記（１）又は（２）のＦＭ受信機。
【００１４】
（４）前記第1のＡ／Ｄ変換器および前記ＤＳＰの間に８０ｋＨｚ〜２５０ｋＨｚのスペクトラムを抽出する第２のデジタルフィルタを設ける上記（３）のＦＭ受信機。
【００１５】
（５）前記ＩＦ増幅回路の出力信号中の１９ｋＨｚ成分を検出する検波器および該検波器の出力信号をデジタル変換してマルチパス（Multipath）か隣接か判断し、前記ＤＳＰを制御する第２のＡ／Ｄ変換器を備える上記（１）乃至（４）の何れかのＦＭ受信機。
【００１７】
【発明の実施の形態】
以下、本発明によるＦＭ受信機の好適実施形態の構成および動作を、添付図面を参照して詳細に説明する。
【００１８】
図１は、本発明によるＦＭ受信機の好適実施形態の構成を示すブロック図である。このＦＭ受信機は、アンテナ２０、フロントエンド２１、第１ＩＦフィルタ２２、ＩＦ増幅回路２３、第２ＩＦフィルタ２６、ミキサ２４、アナログ−デジタル（Ａ／Ｄ）変換器２５、２８、３４、遅延（Delay）回路２７、デジタルフィルタ２９、３０、ＤＳＰ（デジタル信号プロセッサ）３１、３２、デジタル−アナログ（Ｄ／Ａ）変換器３３および検波器３５により構成される。
【００１９】
本発明のＦＭ受信機は、特にＩＦ増幅回路２３の出力に、第２ＩＦフィルタおよびミキサ２４を接続する。更に、このミキサ２４の出力側にＡ／Ｄ変換器２５、２８、このＡ／Ｄ変換器２５の出力側に接続された遅延回路２７、Ａ／Ｄ変換器２８の出力側に接続されたデジタルフィルタ２９、このデジタルフィルタ２９の出力側に接続されたＤＳＰ３１、このＤＳＰ３１および遅延回路２７に接続されたデジタルフィルタ３０およびこのデジタルフィルタの出力側に接続されたＤＳＰ３２を備えることを特徴とする。
【００２０】
本発明のＦＭ受信機では、ＩＦ増幅回路２３の後段に、第２ＩＦフィルタ２６を接続する。この第２ＩＦフィルタ２６を通過後に、ミキサ２４により例えば４５０ｋＨｚに変換する。この周波数変換された信号は、Ａ／Ｄ変換器２５によりデジタル信号に変換され、遅延回路２７に送出される。他方のＡ／Ｄ変換器２８では、デジタルフィルタ２９により８０ｋＨｚ〜２５０ｋＨｚのスペクトラムを抽出する。
【００２１】
デジタルフィルタ２９からの出力信号を受け、ＤＳＰ３１は、４５０ｋＨｚ＋２００ｋＨｚ、４５０ｋＨｚ＋１５０ｋＨｚ、４５０ｋＨｚ−１００ｋＨｚ、４５０ｋＨｚ−１５０ｋＨｚ、４５０ｋＨｚ−２００ｋＨｚを中心としたハニング窓関数等を使用して、それぞれの周波数成分のレベルを検出する。これらの検出値が、それぞれに設定されたレベル以上である場合には、検出された隣接に応じたフィルタを選択するために、ＤＳＰ３１より係数をデジタルフィルタ３０へ送出する。
【００２２】
ここで、遅延回路２７は、Ａ／Ｄ変換器２５を通る主信号を遅延させ、ＤＳＰ３１による信号処理時間等のための遅延を補償する。換言すると、上述した遅延された主信号がデジタルフィルタ３０に入力される前に、ＤＳＰ３１によりデジタルフィルタ３０の係数が設定される。これにより、信号の品質を確保する。
【００２３】
また、上述した周波数成分のレベルが同時に上昇した場合には、図３に示す１９ｋＨｚ成分を、ＩＦ増幅回路２３から検波器３５およびＡ／Ｄ変換器３４を介して取り出しモニタする。そして、このモニタした信号レベルによりマルチパス（Multipath）か隣接かを判断し、デジタルフィルタ３０がマルチパスにより誤動作しないようにする。
【００２４】
デジタルフィルタ３０からの出力信号は、別のＤＳＰ３２を介して処理され、更にＤ／Ａ変換器３３によりアナログ信号に変換される。このＤ／Ａ変換器３３からは、希望放送局の音声出力信号（Audio Out）が得られる。この音声出力信号は、例えばスピーカ又はヘッドホン等に接続される。
【００２５】
以上、本発明によるＦＭ受信機の好適実施形態の構成および動作を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できるところである。
【００２６】
【発明の効果】
以上の説明から理解される如く、本発明のＦＭ受信機によると、次の如き実用上の顕著な効果が得られる。即ち、アナログ式フィルタを切替えて使用する従来技術に比較し、隣接妨害検出回路のマルチパス（Multipath）によるフィルタの切替えが誤動作することがない。また、スムーズな帯域切替が可能になり、不快な妨害局の受信を極力抑えることが可能になる。従って、ヨーロッパ諸国の如く多数の放送局が隣接して存在する場合の妨害阻止に特に有効である。
【図面の簡単な説明】
【図１】本発明によるＦＭ受信機の好適実施形態の構成を示すブロック図である。
【図２】従来の典型的なＦＭ受信機の構成を示すブロック図である。
【図３】ＦＭ信号を検波した周波数スペクトラムを示す。
【図４】図２中に示すバンドパスフィルタの特性図である。
【符号の説明】
２０    アンテナ
２１    フロントエンド
２２    第１（初段）ＩＦフィルタ
２３    ＩＦ増幅回路
２４    ミキサ
２５、２８、３４    Ａ／Ｄ（アナログ・デジタル）変換器
２６    第２ＩＦフィルタ
２７    遅延回路
２９、３０    デジタルフィルタ
３１、３２    ＤＳＰ（デジタル信号処理器）
３３    Ｄ／Ａ（デジタル・アナログ）変換器
３５    検波器
【図１】
0003789318.tif 000002
【図２】
0003789318.tif 000003
【図３】
0003789318.tif 000004
【図４】
0003789318.tif 000005